(57)【要約】【課題】従来の冠瓦の構築は、屋根地の棟部の棟方向に適宜間隔で立設した、複数の支持金具と、支持金具の両側と、棟部に順次、葺設したのし瓦と、支持金具に架承した棟木とを介して、冠瓦を、複数葺設したのし瓦及び／又は棟木に葺設する構成である。従って、冠瓦は、瓦相互の葺設及び／又は嵌合を介し、位置決めされる構造であり、所定の位置に必ず葺設される保証がない、また熟練を要する問題点を抱えている。【構成】発明は、屋根地の棟部の棟方向に適宜間隔で立設した支持金具の両側に、複数枚ののし瓦を葺設し、また支持金具間に、表面に複数個の引掛け片を備えた冠瓦支持板を架承し、冠瓦支持板の引掛け片に、冠瓦の裏面に設けた引掛けを係止し、屋根地の棟部を冠瓦で葺設する構成とした棟構造である。この冠瓦の冠支持板へのワンタッチで、確実に係止し、棟部を構築する構造である。【選択図】図８
2008308848.tif 000002
【特許請求の範囲】
【請求項１】
屋根地の棟部に、その棟方向に適宜間隔で複数の支持金具を立設し、この支持金具の両側に、複数枚ののし瓦を葺設するとともに、この支持金具間に、表面に複数個の引掛け片を備えた冠瓦支持板を架承し、この冠瓦支持板の引掛け片に、冠瓦の裏面に設けた引掛けを係止する冠瓦支持構造であり、
この冠瓦支持構造は、前記冠瓦支持板に複数個設けた引掛け片に、順次冠瓦を引掛け係止することで、前記屋根地の棟部を冠瓦で葺設する構成とした棟構造。
【請求項２】
屋根地の棟部に、その棟方向に適宜間隔で複数の支持金具を立設し、この支持金具の両側に、複数枚ののし瓦を葺設するとともに、この支持金具間に、棟木を架承し、この棟木の上に、表面に複数個の引掛け片を備えた冠瓦支持板を架承し、この冠瓦支持板の引掛け片に、冠瓦の裏面に設けた引掛けを係止する冠瓦支持構造であり、
この冠瓦支持構造は、前記冠瓦支持板に複数個設けた引掛け片に、順次冠瓦を引掛け係止することで、前記屋根地の棟部を冠瓦で葺設する構成とした棟構造。
【請求項３】
請求項１又は請求項２に記載の棟構造であって、
前記冠瓦は、平板瓦対応とし、正面視して、二段山形形状であり、この下段山形形状の両裾部が、内側に向って傾斜した設置面とし、前記平板瓦の表面への密着性を確保する構成とした棟構造。
【請求項４】
請求項１又は請求項２に記載の棟構造であって、
前記冠瓦は、一方側に、玉縁を備えており、他方側に、この玉縁が嵌入される係止凹部を備えており、前記引掛けを、前記他方側の内側に設ける構成とした棟構造。
【請求項５】
請求項１又は請求項２に記載の棟構造であって、
前記冠瓦の裏面に設けた引掛けは、一段山形形状の略頂面近傍に設け、この引掛けと裏面との間に、前記引掛け片が挿入される空間が形成される構成とした棟構造。
【請求項６】
屋根地の袖部に、屋根地の登り方向に向って、表面に複数個の引掛け片を備えた袖瓦支持板を架承し、この袖瓦支持板の引掛け片に、袖瓦の裏面に設けた引掛けを係止する袖瓦支持構造であり、
この袖瓦支持構造は、前記袖瓦支持板に複数個設けた引掛け片に、順次袖瓦を引掛け係止することで、前記屋根地の袖部（妻側）を袖瓦で葺設する構成とした袖構造。
【請求項７】
請求項６に記載の袖構造であって、
前記袖瓦は、正面視して、略Ｌ形形状とし、この両瓦部が、連結隅部をセンターとして、対称形状とし、この両瓦部の裏面に、引掛けを膨出する構成とした袖構造。
【発明の詳細な説明】
【技術分野】
【０００１】
本発明は、引掛け片を備えた冠・袖瓦支持板を利用して、棟用の冠瓦、又は妻側用（けらば）用の袖瓦を、正確かつ簡易に葺設できる棟構造と、袖構造に関する。
【背景技術】
【０００２】
従来、冠・袖瓦（両者を総称する場合には、原則として、瓦とする）を固定する構造の一例を説明する。先ず、冠瓦では、屋根地の棟部に、その棟方向に適宜間隔で立設した、複数の支持金具と、この支持金具の両側と、棟部に順次、葺設したのし瓦と、この支持金具に架承した棟木とを介して、冠瓦を、こののし瓦及び／又は棟木に葺設する構成である。また袖瓦では、袖部（妻側、破風）に設けた破風板・屋根地又は棧木に、Ｌ形形状の袖瓦の両瓦部をそれぞれ添接し、その袖瓦の妻側の瓦部を釘止めして葺設する構造である。
【０００３】
以上の如く、両者の葺設方法は、この両者を棟部、又は袖部に葺設し、釘止め係止する構造であり、冠瓦及び袖瓦は、瓦の葺合せ嵌合（葺設及び／又は嵌合）を介して、位置決めされる構造であり、所定の位置に必ずしも葺設されない問題点を抱えている。
【０００４】
以上のような問題点を解決する手段を、先行文献より検討する。そして、この検討に値する文献を下記に列挙する。
【０００５】
文献１は、特開２０００−１２９８６４で「建物屋根の棟構造」である。この発明は、棟部に設けた棟補強用芯材に、受け材を架承し、この受け材を介してのし瓦を複数段葺設するとともに、こののし瓦の上に、止め材を取付け、この止め材の上に冠瓦を葺設し、かつ冠瓦の裾部を、のし瓦に添接した後に、この冠瓦を、のし瓦の上面に設けた止め材に釘止めする構成であり、のし瓦の緊締をねじ棒なくして施工可能とすること、また棟構造の施工の容易化を図ることを意図する。
【０００６】
また文献２は、特開平９−４１５７４号の「棟葺き材」である。この発明は、略枕木状の瓦支持部材を棟部に沿って設け、この瓦支持部材に冠瓦を直接葺設するとともに、この瓦支持部材と冠瓦との隙間に、連続気泡でなる封止部材を嵌入し、この棟部を閉塞した構成であり、乾式の棟葺き材を利用して、通気性に優れ、かつ軽量の棟葺き材を提供することを意図する。
【０００７】
さらに文献３は、特開２００３−２６８９３０で「耐震、耐風雨用の防災袖瓦」である。この発明は、瓦本体の一方裏面の端部内側に係止突起を、また他方裏面の端部に突起受入れ部を形成す。そして、この係止突起の突起頂面形状を、係止突起の裏面の形状と相似形に形成し、また突起受入れ部の受入れ底面形状を、係止突起の裏面の形状と相似形に形成したことで、この袖瓦の嵌合を確実にし、この嵌合を利用することで、防災機能を確保することを特徴とする。しかし、この袖瓦も、従来と同様に、袖瓦相互間の葺設嵌合に留まっている。
【０００８】
また文献４は、特開２００３−９６９８１で「けらば瓦（袖瓦とする）用取付け補助具」である。この発明は、袖瓦の両瓦部を、破風板と屋根地に添接するよう葺設し、この袖瓦の妻側の瓦部を釘止めして葺設する構造とするとともに、この破風板と、妻側との間に、閉塞部材とし役立つ板状体を嵌入する構成であって、破風板と瓦部との隙間をなくすことを特徴とする。
【０００９】
さらに文献５は、特開平８−４９３６２号の「冠瓦と袖瓦兼用の屋根瓦」である。この発明は、左右兼用の袖瓦とするために、左右瓦部（傾斜板部）を同寸法とすること、また棟瓦として使用するために、瓦部の裾部（下端内方側）をテーパーに形成するとともに、瓦本体の嶺部裏面に、衝止板と、この衝止板に接触係止される端面を備えた玉縁（玉口）とで構成し、左右袖瓦としての活用と、衝止係止を利用した、ズレ止めを図ることを特徴とする。
【００１０】
【特許文献１】特開２０００−１２９８６４
【特許文献２】特開平９−４１５７４号
【特許文献３】特開２００３−２６８９３０
【特許文献４】特開２００３−９６９８１
【特許文献５】特開平８−４９３６２号
【発明の開示】
【発明が解決しようとする課題】
【００１１】
前述した文献１は、冠瓦を、のし瓦の上面に設けた止め材に釘止めする構成であり、本発明の如く、冠瓦と冠瓦支持板（止め板）との差込み係止（緊締係止とする）を図る構造でない。従って、この文献１の構造では、冠瓦の簡易な葺設、又はスムーズかつワンタッチでの葺設はできないと考えられる。そして、また、この文献２は、冠瓦を、瓦支持部材の上面に設けた緊結板に釘止めする構造であり、従来の取付け方法である。この文献２は、文献１と略同じ課題を抱えていると考えられる。
【００１２】
次に文献３・４は、袖瓦に関するものであり、少なくとも、係止突起及び／又は突起受入れ部との係合関係を介して、袖瓦を順次葺設する構造であり、前述の文献１と略同じ課題を抱えていると考えられる。
【００１３】
また文献５は、袖瓦・冠瓦を兼用できる（屋根瓦としての）利点を有するが、この屋根瓦は、前述した文献１〜４と同様な係止関係であり、本発明が意図する緊締係止ではないので、前述の文献１〜４と略同じ課題を抱えていると考えられる。
【課題を解決するための手段】
【００１４】
請求項１の発明は、冠瓦と止め材との差込み係止（緊締係止とする）を図る構造を採用し、この冠瓦の簡易な葺設、又はスムーズかつワンタッチでの葺設を意図する。そして、また、冠瓦を、葺設済の冠瓦に差込み葺設する際に、玉縁の挿入と、冠瓦に設けた引掛けを、冠瓦支持板の引掛け片に、略同時に係止可能とし、冠瓦のスムーズかつワンタッチでの葺設を意図する。またこの請求項１の発明は、冠瓦支持板の引掛け片と、冠瓦の引掛けとを利用した、棟構造であり、精緻な冠瓦の葺設と、のし瓦の葺設とを図ること、又は耐震・耐風効果が期待できる棟構造を提供すること等を意図する。
【００１５】
請求項１は、屋根地の棟部に、その棟方向に適宜間隔で複数の支持金具を立設し、この支持金具の両側に、複数枚ののし瓦を葺設するとともに、この支持金具間に、表面に複数個の引掛け片を備えた冠瓦支持板を架承し、この冠瓦支持板の引掛け片に、冠瓦の裏面に設けた引掛けを係止する冠瓦支持構造であり、
この冠瓦支持構造は、前記冠瓦支持板に複数個設けた引掛け片に、順次冠瓦を引掛け係止することで、前記屋根地の棟部を冠瓦で葺設する構成とした棟構造である。
【００１６】
請求項２の発明は、請求項１と同じ目的を達成することを意図する。
【００１７】
請求項２は、屋根地の棟部に、その棟方向に適宜間隔で複数の支持金具を立設し、この支持金具の両側に、複数枚ののし瓦を葺設するとともに、この支持金具間に、棟木を架承し、この棟木の上に、表面に複数個の引掛け片を備えた冠瓦支持板を架承し、この冠瓦支持板の引掛け片に、冠瓦の裏面に設けた引掛けを係止する冠瓦支持構造であり、
この冠瓦支持構造は、前記冠瓦支持板に複数個設けた引掛け片に、順次冠瓦を引掛け係止することで、前記屋根地の棟部を冠瓦で葺設する構成とした棟構造である。
【００１８】
請求項３の発明は、請求項１と同じ目的を達成すること、また平板瓦に最適な冠瓦を提供することを意図する。
【００１９】
請求項３は、請求項１又は請求項２に記載の棟構造であって、
前記冠瓦は、平板瓦対応とし、正面視して、二段山形形状であり、この下段山形形状の両裾部が、内側に向って傾斜した設置面とし、前記平板瓦の表面への密着性を確保する構成とした棟構造である。
【００２０】
請求項４の発明は、請求項１と同じ目的を達成すること、またこの目的を達成するのに最適な冠瓦を提供することを意図する。
【００２１】
請求項４は、請求項１又は請求項２に記載の棟構造であって、
前記冠瓦は、一方側に、玉縁を備えており、他方側に、この玉縁が嵌入される係止凹部を備えており、前記引掛けを、前記他方側の内側に設ける構成とした棟構造である。
【００２２】
請求項５の発明は、請求項１と同じ目的を達成すること、またこの目的を達成するのに最適な冠瓦の引掛けを提供することを意図する。
【００２３】
請求項５は、請求項１又は請求項２に記載の棟構造であって、
前記冠瓦の裏面に設けた引掛けは、一段山形形状の略頂面近傍に設け、この引掛けと裏面との間に、前記引掛け片が挿入される空間が形成される構成とした棟構造である。
【００２４】
請求項６の発明は、袖瓦と止め材との差込み係止（緊締係止とする）を図る構造を採用し、この袖瓦の簡易な葺設、又はスムーズかつワンタッチでの葺設を意図する。そして、また、袖瓦を、葺設済の袖瓦に差込み葺設する際に、玉縁の挿入と、袖瓦に設けた引掛けを、袖瓦支持板の引掛け片に、略同時に係止可能とし、袖瓦のスムーズかつワンタッチでの葺設を意図する。またこの請求項１の発明は、袖瓦支持板の引掛け片と、袖瓦の引掛けとを利用した、棟構造であり、精緻な袖瓦の葺設と、のし瓦の葺設とを図ること、又は耐震・耐風効果が期待できる棟構造を提供すること等を意図する。
【００２５】
請求項６は、屋根地の袖部に、屋根地の登り方向に向って、表面に複数個の引掛け片を備えた袖瓦支持板を架承し、この袖瓦支持板の引掛け片に、袖瓦の裏面に設けた引掛けを係止する袖瓦支持構造であり、
この袖瓦支持構造は、前記袖瓦支持板に複数個設けた引掛け片に、順次袖瓦を引掛け係止することで、前記屋根地の袖部（妻側）を袖瓦で葺設する構成とした袖構造である。
【００２６】
請求項７の発明は、請求項６と同じ目的を達成すること、またこの目的を達成するのに最適な袖瓦を提供することを意図する。
【００２７】
請求項７は、請求項６に記載の袖構造であって、
前記袖瓦は、正面視して、略Ｌ形形状とし、この両瓦部が、連結隅部をセンターとして、対称形状とし、この両瓦部の裏面に、引掛けを膨出する構成とした袖構造である。
【発明の効果】
【００２８】
請求項１の発明は、屋根地の棟部に、その棟方向に適宜間隔で複数の支持金具を立設し、支持金具の両側に、複数枚ののし瓦を葺設するとともに、支持金具間に、表面に複数個の引掛け片を備えた冠瓦支持板を架承し、冠瓦支持板の引掛け片に、冠瓦の裏面に設けた引掛けを係止する冠瓦支持構造であり、
冠瓦支持構造は、冠瓦支持板に複数個設けた引掛け片に、順次冠瓦を引掛け係止することで、屋根地の棟部を冠瓦で葺設する構成とした棟構造である。
【００２９】
従って、請求項１は、冠瓦と止め材との差込み係止（緊締係止とする）を図る構造を採用し、この冠瓦の簡易な葺設、又はスムーズかつワンタッチでの葺設を可能とした。そして、また、冠瓦を、葺設済の冠瓦に差込み葺設する際に、玉縁の挿入と、冠瓦に設けた引掛けを、冠瓦支持板の引掛け片に、略同時に係止可能とし、冠瓦のスムーズかつワンタッチでの葺設を可能とした。またこの請求項１は、冠瓦支持板の引掛け片と、冠瓦の引掛けとを利用した、棟構造であり、精緻な冠瓦の葺設と、のし瓦の葺設とが図れること、又は耐震・耐風効果が期待できる棟構造を提供できること等の特徴を有する。
【００３０】
請求項２の発明は、屋根地の棟部に、その棟方向に適宜間隔で複数の支持金具を立設し、支持金具の両側に、複数枚ののし瓦を葺設するとともに、支持金具間に、棟木を架承し、この棟木の上に、表面に複数個の引掛け片を備えた冠瓦支持板を架承し、冠瓦支持板の引掛け片に、冠瓦の裏面に設けた引掛けを係止する冠瓦支持構造であり、
冠瓦支持構造は、冠瓦支持板に複数個設けた引掛け片に、順次冠瓦を引掛け係止することで、屋根地の棟部を冠瓦で葺設する構成とした棟構造である。
【００３１】
従って、請求項２は、請求項１と同じ目的を達成できる。
【００３２】
請求項３は、請求項１又は請求項２に記載の棟構造であって、
冠瓦は、平板瓦対応とし、正面視して、二段山形形状であり、下段山形形状の両裾部が、内側に向って傾斜した設置面とし、平板瓦の表面への密着性を確保する構成とした棟構造である。
【００３３】
従って、請求項３は、請求項１と同じ目的を達成できること、また平板瓦に最適な冠瓦を提供できること等の特徴を有する。
【００３４】
請求項４の発明は、請求項１又は請求項２に記載の棟構造であって、
冠瓦は、一方側に、玉縁を備えており、他方側に、玉縁が嵌入される係止凹部を備えており、引掛けを、他方側の内側に設ける構成とした棟構造である。
【００３５】
従って、請求項４は、請求項１と同じ目的を達成できること、またこの目的を達成するのに最適な冠瓦を提供できること等の特徴を有する。
【００３６】
請求項５は、請求項１又は請求項２に記載の棟構造であって、
冠瓦の裏面に設けた引掛けは、一段山形形状の略頂面近傍に設け、引掛けと裏面との間に、引掛け片が挿入される空間が形成される構成とした棟構造である。
【００３７】
従って、請求項５は、請求項１と同じ目的を達成できること、またこの目的を達成するのに最適な冠瓦の引掛けを提供できること等の特徴を有する。
【００３８】
請求項６の発明は、屋根地の袖部に、屋根地の登り方向に向って、表面に複数個の引掛け片を備えた袖瓦支持板を架承し、袖瓦支持板の引掛け片に、袖瓦の裏面に設けた引掛けを係止する袖瓦支持構造であり、
袖瓦支持構造は、袖瓦支持板に複数個設けた引掛け片に、順次袖瓦を引掛け係止することで、屋根地の袖部（妻側）を袖瓦で葺設する構成とした袖構造である。
【００３９】
従って、請求項６は、袖瓦と止め材との差込み係止（緊締係止とする）を図る構造を採用し、この袖瓦の簡易な葺設、又はスムーズかつワンタッチでの葺設を可能とした。そして、また、袖瓦を、葺設済の袖瓦に差込み葺設する際に、玉縁の挿入と、袖瓦に設けた引掛けを、袖瓦支持板の引掛け片に、略同時に係止可能とし、袖瓦のスムーズかつワンタッチでの葺設を可能とした。またこの請求項１の発明は、袖瓦支持板の引掛け片と、袖瓦の引掛けとを利用した、棟構造であり、精緻な袖瓦の葺設と、のし瓦の葺設とが図れること、又は耐震・耐風効果が期待できる棟構造を提供できること等の特徴を有する。
【００４０】
請求項７の発明は、請求項６に記載の袖構造であって、
袖瓦は、正面視して、略Ｌ形形状とし、両瓦部が、連結隅部をセンターとして、対称形状とし、両瓦部の裏面に、引掛けを膨出する構成とした袖構造である。
【００４１】
従って、請求項７は、請求項６と同じ目的を達成できること、またこの目的を達成するのに最適な袖瓦を提供できること等の特徴を有する。
【発明を実施するための最良の形態】
【００４２】
次に、本発明の実施形態に係る瓦を図面に基づいて説明する。
【００４３】
図１〜図８は第一実施例を示しており、図１は棟構造の一例を示した縮尺断面図、図２は冠瓦の平面図、図３は冠瓦の側面図、図４は冠瓦を玉縁側より見た正面図、図５は冠瓦支持板の一部省略の平面図、図６は冠瓦支持板の一部省略の側面図、図７は冠瓦支持板の一部省略の斜視図、図８は冠瓦と冠瓦支持板との関係を示した一部省略の斜視図である。
【００４４】
図９〜図１５は第二実施例を示しており、図９は袖構造の一例を示した縮尺断面図、図１０は右袖瓦の側面図、図１１は左袖瓦の側面図、図１２袖瓦支持板の一部省略の平面図、図１３は袖瓦支持板の一部省略の側面図、図１４は袖瓦支持板の一部省略の斜視図、図１５は袖瓦と袖瓦支持板との関係を示した一部省略の斜視図である。
【００４５】
１は冠瓦であり、この冠瓦１は、平板瓦２対応とし、正面視して、二段山形形状であり、一段山形形状１００（上段山形形状）と二段山形形状１０１（下段山形形状）となっている。そして、この下段山形形状１０１の両裾部１ａ、１ａ（対の場合には、一つの符号「１ａ」とする）が、内側に向って傾斜した設置面３とし、平板瓦２の表面２ａとの密着性を確保する。
【００４６】
この冠瓦１の裏面１ｂの稜線やや下方（一段山形形状１００の略頂面近傍）には、引掛け４を差渡し形成する。またこの冠瓦１の一方側には玉縁４を形成する。また必要により（玉縁４の肉厚により）、他方側に玉縁４が嵌入される凹部（図示せず）を形成する。この嵌入構造であれば、耐震、耐風効果が期待できる。また軽量化等にも有効である。図中６は、裏面１ｂと引掛け４の表面４ａとの間に設けた空間を示している。
【００４７】
次に、冠瓦支持板８は、従来と同様に、帯状の鋼材を図示のように折り曲げ形成する一例と、また樹脂製の一体成形とかが考えられるが、この一例では、鋼材の打ち抜き構造とした。例えば、帯状の鋼材を打ち抜き加工し、側面視して略Ｌ形の引掛け片１０を複数個形成する。そして、８００は冠瓦支持板８の打抜き孔を示しており、軽量化と、材料の節約化等を図る。またこの打抜き孔８００を形成しても、冠瓦支持板８の強度の低下を図らないように構成する。尚、図示しないが、前記引掛け片１０は、冠瓦１の引掛け４との緊締の強化、挿入の容易化、抜け防止等を意図し、引掛け片１０の自由端側１０ａを傾斜させた緊締の強化・挿入の容易な構造、折曲げ延設部１０ｂを凹凸、波形等の変形例とした緊締の強化・抜け防止構造、さらに自由端側１０ａを折曲げ形成した緊締の強化・抜け防止構造等が考えられる。図中１１は、冠瓦支持板８の上面と、折曲げ延設部１０ｂの下面との間に形成した挿入空間であり、この挿入空間１２に、前記引掛け４が挿入され、かつその折曲げ延設部１０ｂの立ち上り部に、引掛け４の差込側が衝止される構造である。尚、図中１２は釘孔を示している。
【００４８】
以上の構成である冠瓦１の構造と、冠瓦支持板８の構造とを利用して、棟Ａを構築する一例を、図１を参照して説明すると、屋根地Ｒの棟部Ｒ１に支持金具２０の取付け脚部２０ａを固止し、棟木Ｂ架承用の支持部２０ｂを、棟部Ｒ１の上方に支持する。この作業で支持金具２０が立設されるので、続いて、棟部Ｒ１の棟方向Ｒ１−１に適宜間隔で、同様に立設する。その後、この支持金具２０の両側にのし瓦２１（大のし瓦、のし瓦等を云う）を複数枚葺設する。そして、支持部２０ｂ間に棟木Ｂを架承し、この棟木Ｂの上に冠瓦支持板８を、図示しない釘等を利用して固止する。そして、この冠瓦支持板８の引掛け片１０を目安として、冠瓦１の引掛け４を、引掛け片１０の下側に形成された空間１１に差込み支持するが、同時に、冠瓦１と引掛け４とで形成される空間６に、引掛け片１０が挿入される。所謂、ほぞ構造での嵌合係止である。そして、この際に、既に葺設された冠瓦（図示せず）の他方側に嵌入される。この冠瓦１の葺設時に、その裾部１ａがのし瓦２１の正面に、密着状に葺設されることで、雨仕舞の向上と、風の侵入と、ガタ防止に役立つ特徴がある。その他の作業は従来の例に準ずる。
【００４９】
３０は袖瓦（左右袖瓦）であり、この袖瓦３０は、平板瓦２対応とし、正面視して、略Ｌ字形状であり、一方瓦部３００と他方瓦部３０１となっている。そして、図示しない平板瓦２のアンダーラップ（覆い側）の形状に合うよう（密着性を確保するように、以下、同じ）にフラットの裏面３００ａ、又は破風板Ｃに合うようにフラットの裏面３０１ａを有する。この袖瓦３０は、前述の如く、一方瓦部３００と他方瓦部３０１とが、略９０度になっており、左右袖Ｄに使用できる構造となっている。従って、この一方瓦部３００と他方瓦部３０１は、ほぼ同じ構造である。
【００５０】
この袖瓦３０の裏面３００ａ、裏面３０１ａには、引掛け３１、３１（３１とする）を膨出形成し、この引掛け３１には、方形状の空間３２か形成されている。そして、この空間３２の形状は、後述する袖瓦支持板の引掛け片との嵌合の確保、成形の容易化等を考慮している。またこの引掛け３１は、強度の確保と、カケ防止、形状の美感等を考慮し、傾斜の裾部３１ａを両側に有する。
【００５１】
次に、袖瓦支持板３４は、従来と同様に、帯状の鋼材を図示のように折り曲げ形成する一例と、また樹脂製の一体成形とかが考えられるが、この一例では、鋼材の打ち抜き構造とした。例えば、帯状の鋼材を打ち抜き加工し、側面視して略Ｌ形の引掛け片３５を複数個形成する。そして、３４００は袖瓦支持板３４の打抜き孔を示しており、軽量化と、材料の節約化等を図る。またこの打抜き孔３４００を形成しても、袖瓦支持板３４の強度の低下を図らないように構成する。尚、図示しないが、前記引掛け片３５は、袖瓦３０の引掛け３１との緊締の強化、挿入の容易化、抜け防止等を意図し、引掛け片３５の自由端側３５ａを傾斜させた緊締の強化・挿入の容易な構造、折曲げ延設部３５ｂを凹凸、波形等の変形例とした緊締の強化・抜け防止構造、さらに自由端側３５ａを折曲げ形成した緊締の強化・抜け防止構造等が考えられる。図中３６は、袖瓦支持板３４の上面と、折曲げ延設部３５ｂの下面との間に形成した挿入空間であり、この挿入空間３６に、前記引掛け３１が挿入され、かつその折曲げ延設部３５ｂの立ち上り部に、引掛け３１の差込側が衝止される構造である。尚、図中３７は釘孔を示している。
【００５２】
以上の構成である袖瓦３０の構造と、袖瓦支持板３４の構造とを利用して、袖Ｄ（破風、妻側）を構築する一例を、図１６を参照して説明すると、屋根地Ｒの袖部Ｄ１に設けた破風板Ｃの屋根側に、袖瓦支持板３４の釘孔３７を利用して釘止めする。そして、この袖瓦支持板３４の引掛け片３５を目安として、袖瓦３０の引掛け３１を、この引掛け片３５の挿入空間３６に差込み支持する。その際に、既に葺設された袖瓦（図示せず）の他方側に被嵌葺設される。従って、従来のように、例えば、袖瓦３０の一方瓦部３００を釘止め固止する必要がなく、葺設及び／又は釘止めに要する手間及び／又は作業が省け、重宝する。そして、また、従来のような、例えば、体の半分を、妻側より出しての作業がなくなり、危険な作業がなく、安全性の向上と、人的被害の解消に有効である。さらに袖瓦３０のワンタッチでの正確、かつ簡易な葺設と、釘止め作業のカットとによる労力と、手間の軽減化がはかれて重宝する。尚、この袖瓦３０の密着状に葺設されることで、雨仕舞の向上と、風の侵入と、ガタ防止に役立つ特徴がある。その他の作業は従来の例に準ずる。
【図面の簡単な説明】
【００５３】
【図１】図１は棟構造の一例を示した縮尺断面図
【図２】図２は冠瓦の平面図
【図３】図３は冠瓦の側面図
【図４】図４は冠瓦を玉縁側より見た正面図
【図５】図５は冠瓦支持板の一部省略の平面図
【図６】図６は冠瓦支持板の一部省略の側面図
【図７】図７は冠瓦支持板の一部省略の斜視図
【図８】図８は冠瓦と冠瓦支持板との関係を示した一部省略の斜視
【図９】図９は袖構造の一例を示した縮尺断面図
【図１０】図１０は右袖瓦の側面図
【図１１】図１１は左袖瓦の側面図
【図１２】図１２袖瓦支持板の一部省略の平面図
【図１３】図１３は袖瓦支持板の一部省略の側面図
【図１４】図１４は袖瓦支持板の一部省略の斜視図
【図１５】図８は袖瓦と袖瓦支持板との関係を示した一部省略の斜視図
【符号の説明】
【００５４】
１                冠瓦
１ａ              裾部
１００            一段山形形状
１０１            二段山型形状
２                平板瓦
２ａ              表面
３                設置面
４                引掛け
５                玉縁
６                空間
８                冠瓦支持板
８００            引抜き孔
１０              引掛け片
１０ａ            自由端側
１０ｂ            折曲げ延設部
１１              挿入空間
１２              釘孔
２０              支持金具
２０ａ            取付け脚部
２０ｂ            支持部
２１              のし瓦
Ａ                棟
Ｂ                棟木
Ｒ                屋根地
Ｒ１              棟部
Ｒ１−１          棟方向
３０              袖瓦
３００            一方瓦部
３０１            他方瓦部
３１              引掛け
３１ａ            裾部
３２              空間
３４              袖瓦支持板
３４００          打抜き孔
３５              引掛け片
３５ａ            自由端側
３５ｂ            折曲げ延設部
３６              挿入空間
３７              釘孔
Ｃ                破風板
Ｄ                袖
Ｄ１              袖部
【図１】
2008308848.tif 000003
【図２】
2008308848.tif 000004
【図３】
2008308848.tif 000005
【図４】
2008308848.tif 000006
【図５】
2008308848.tif 000007
【図６】
2008308848.tif 000008
【図７】
2008308848.tif 000009
【図８】
2008308848.tif 000010
【図９】
2008308848.tif 000011
【図１０】
2008308848.tif 000012
【図１１】
2008308848.tif 000013
【図１２】
2008308848.tif 000014
【図１３】
2008308848.tif 000015
【図１４】
2008308848.tif 000016
【図１５】
2008308848.tif 000017